【事件の表示】
　特許第２７７７９９９号「カメラ」の特許に対する特許異議の申立てについて、次のとおり決定する。
【結論】
　訂正を認める。
　特許第２７７７９９９号の特許を維持する。
【理由】
（１）手続きの経緯
　本件特許第２７７７９９９号発明は、平成１年４月２７日に特許出願され、平成１０年５月８日にその発明の特許がなされ、その後、旭光学工業株式会社より特許異議の申立てがなされ、取消理由通知がなされ、その指定期間内である平成１１年７月１９日に訂正請求（後日取下げ）がなされた後、再度取り消し理由通知がなされ、その指定期間内である平成１１年８月２６日に訂正請求がなされたものである。
（２）訂正の適否についての判断
ア．特許請求の範囲の訂正
　ａ、訂正明細書の請求項（１）に係る発明は、その特許請求の範囲の請求項（１）に特定された次のとおりのものである。
「（１）カメラ本体に設けられたズーミングスイッチの操作に応じて変倍光学系のズームポジションを変化させて焦点距離を変化させる第１の可変手段と、リモコンズーミング信号を受信する受信手段と、前記受信手段がリモコンズーミング信号を受信することに応じて前記変倍光学系のズームポジションを変化させて焦点距離を変化させる第２の可変手段と、前記第１の可変手段が設定できる前記変倍光学系の所定のズームポジションを前記第２の可変手段が設定しないように規制することによって、前記リモコンズーミング信号の受信ごとにズームポジションの変化複数分だけズーミングを行わせる規制手段とを備えたカメラ。」
イ．発明の詳細な説明の訂正
ａ、明細書第１３頁第２行〜第１４頁第６行（特許掲載公報第５欄第４２行〜第４９行）の「上記目的を達成するために、本発明は、変倍光学系の状態を変化させる第１の可変手段と、リモートコントロール信号を受信する受信手段と、前記受信手段がリモートコントロール信号を受信することに応じて前記変倍光学系の状態を変化させる第２の可変手段と、前記第１の可変手段が設定できる前記変倍光学系の所定の状態を前記第２の可変手段が設定しないように規制する規制手段とを有する構成にしている。」を「上記目的を達成するために、本発明は、カメラ本体に設けられたズーミングスイッチの操作に応じて変倍光学系のズームポジションを変化させて焦点距離を変化させる第１の可変手段と、リモコンズーミング信号を受信する受信手段と、前記受信手段がリモコンズーミング信号を受信することに応じて前記変倍光学系のズームポジションを変化させて焦点距離を変化させる第２の可変手段と、前記第１の可変手段が設定できる前記変倍光学系の所定のズームポジションを前記第２の可変手段が設定しないように規制することによって、前記リモコンズーミング信号の受信ごとにズームポジションの変化複数分だけズーミングを行わせる規制手段とを有する構成にしている。」と訂正する。
ｂ、明細書第２５頁第３行〜第１０行（特許掲載公報第９欄第３３行〜第１０欄第７行）の「（発明と実施例の対応）」の項における「＃４１〜＃４８」を「＃４１〜＃４５、＃４７，＃４８」と訂正する。
ウ．訂正の目的の適否及び拡張・変更・新規事項の存否
　上記訂正ア．は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正イ．は、発明の詳細な説明の欄中の明瞭でない記載の釈明（特許請求の範囲の訂正に付随する訂正である。）を目的とするものであり、願書に添付した明細書又は図面に記載された事項の範囲内のものであり、新規事項の追加もない。
エ．独立特許要件の判断
（記載不備について）
上記訂正ア．イ．により解消された。
（引用刊行物に記載された発明）
　訂正明細書の請求項１に係る発明（以下、「本件請求項１に係る発明」という。）に対して、当審が通知した取消理由で引用した特開昭６４−６８７０６号公報（以下、「第１引用例」という。）には、カメラ本体またはリモコンに設けられた微調整用ダイヤル２３の操作に応じて変倍光学系の微調整をし、微調整用ダイヤル２３に連結したフォーカス（ズーム）粗調整用ボタン２４，２５の操作に応じて変倍光学系の粗調整をする可変手段を備えた画像入力装置、が記載され、同じく引用した実願昭６１−１４３９６４号（実開昭６３−４９５１１号）のマイクロフイルム（以下、「第２引用例」という。）には、カメラ本体に設けられたズームスイッチ１０２の操作に応じて変倍光学系のズームポジションを変化させて焦点距離を変化させる可変手段を備えたカメラ、が記載さている。
（請求項１に係る発明についての対比・判断）
　本件請求項１に係る発明と第１引用例に記載の発明とを対比すると、本件請求項１に係る発明の「ズーミングスイッチ」は、第１引用例に記載の発明の「微調整用ダイヤル２３及びフォーカス（ズーム）粗調整用ボタン２４，２５」に相当するから、両者は、カメラ本体に設けられたズーミングスイッチの操作に応じて変倍光学系の焦点距離を変化させる可変手段、ないし、リモコンズーミング信号を受信する受信手段と、前記受信手段がリモコンズーミング信号を受信することに応じて変倍光学系の焦点距離を変化させる可変手段を備えたカメラで一致し、
（イ）本件請求項１に係る発明では、ズーミングスイッチがカメラ本体に設けられ、リモコンズーミング信号を受信手段が受信する、つまり、リモコンズーミング信号の発信手段がリモコンに設けられるのに対して、第１引用例記載の発明では、微調整用ダイヤル２３及びフォーカス（ズーム）粗調整用ボタン２４，２５（本件請求項１に係る発明のズーミングスイッチに相当する。）が、カメラ本体またはリモコンのいずれかに設けられる点、（ロ）本件請求項１に係る発明では、前記第１の可変手段が設定できる前記変倍光学系の所定のズームポジションを前記第２の可変手段が設定しないように規制することによって、前記リモコンズーミング信号の受信ごとにズームポジションの変化複数分だけズーミングを行わせる規制手段を有するのに対して、第１引用例記載の発明では、その点に関する記載が無い点で相違する。
　次に、本件請求項１に係る発明と第２引用例に記載の発明とを対比すると、第２引用例に記載の発明は、カメラ本体に設けられたズーミングスイッチの操作に応じて変倍光学系のズームポジションを変化させて焦点距離を変化させる可変手段を備えるカメラでのみ一致し、本件請求項１に係る発明の、その余の構成を有しない。
　してみれば、第１、２引用例のいずれにも上記（イ）及び（ロ）で示した、本件請求項１に係る発明の構成の一部が無い。
　そして、本件請求項１に係る発明は、上記（イ）及び（ロ）の点を有することによって、明細書記載の効果を奏するものであるから、本件請求項１に係る発明が、第１、２引用例に記載された発明であるとも、第１、２引用例に記載された発明に基づいて、当業者が容易に発明をすることができたものとも言えない。
　したがって、本件請求項１に係る発明は特許出願の際独立して特許を受けることができない発明とすることはできない。
オ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　申立人旭光学工業株式会社は、証拠として甲第１号証（特開昭６４−６８７０６号公報、上記第１引用例）、甲第２号証（実願昭６１−１４３９６４号〔実開昭６３−４９５１１号〕のマイクロフイルム、上記第２引用例）を提出し、請求項１に係る発明は、特許法第２９条第２項の規定に違反してなされたものであるから、特許を取り消すべき旨主張し、請求項１に係る発明は、特許法第３６条第５項の規定に違反してなされたものであるから、特許を取り消すべき旨主張している。
イ．判断
〔本件請求項１に係る発明〕
申立人旭光学工業　株式会社の主張に対し、甲第１、２号証は、上記（２）エ．で示したとおりである。
　また、他に本件請求項１に係る発明の特許を取り消すべき理由を発見しない。
ウ．むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年９月７日（１９９９．９．７）
【訂正の要旨】
　　訂正の要旨
特許請求の範囲の減縮を目的として、下記（１）のように特許請求の範囲を訂正する。また、特許請求の範囲の訂正に応じて、発明の詳細な説明についても、適合性をもたせるために下記（２）〜（３）のように訂正する。
（１）特許請求の範囲の請求項（１）を次のとおり訂正する。
「（１）カメラ本体に設けられたズーミングスイッチの操作に応じて変倍光学系のズームポジションを変化させて焦点距離を変化させる第１の可変手段と、リモコンズーミング信号を受信する受信手段と、前記受信手段がリモコンズーミング信号を受信することに応じて前記変倍光学系のズームポジションを変化させて焦点距離を変化させる第２の可変手段と、前記第１の可変手段が設定できる前記変倍光学系の所定のズームポジションを前記第２の可変手段が設定しないように規制することによって、前記リモコンズーミング信号の受信ごとにズームポジションの変化複数分だけズーミングを行わせる規制手段とを備えたカメラ。」
（２）明細書第１３頁第２〜第１４頁第６行（特許掲載公報第５欄第４２行〜４９行）の「上記目的を達成するために、本発明は、変倍光学系の状態を変化させる第１の可変手段と、リモートコントロール信号を受信する受信手段と、前記受信手段がリモートコントロール信号を受信することに応じて前記変倍光学系の状態を変化させる第２の可変手段と、前記第１の可変手段が設定できる前記変倍光学系の所定の状態を前記第２の可変手段が設定しないように規制する規制手段とを有する構成にしている。」を「上記目的を達成するために、本発明は、カメラ本体に設けられたズーミングスイッチの操作に応じて変倍光学系のズームポジションを変化させて焦点距離を変化させる第１の可変手段と、リモコンズーミング信号を受信する受信手段と、前記受信手段がリモコンズーミング信号を受信することに応じて前記変倍光学系のズームポジションを変化させて焦点距離を変化させる第２の可変手段と、前記第１の可変手段が設定できる前記変倍光学系の所定のズームポジションを前記第２の可変手段が設定しないように規制することによって、前記リモコンズーミング信号の受信ごとにズームポジションの変化複数分だけズーミングを行わせる規制手段とを有する構成にしている。」と訂正する。
（３）明細書第２５頁第３〜１０行（特許掲載公報第９欄第３３〜第１０欄第７行）の「（発明と実施例の対応）」の項における「＃４１〜＃４８」を「＃４１〜＃４５、＃４７，＃４８」と訂正する。
（５４）【発明の名称】
カメラ
（５７）【特許請求の範囲】
（１）
カメラ本体に設けられたズーミングスイッチの操作に応じて
ズームポジション
て焦点距離を変化させ
リモコンズーミング信号
リモコンズーミング信号
ズームポジション
焦点距離を変化させる
ズームポジション
ことによって、前記リモコンズーミング信号の受信ごとにズームポジションの変化複数分だけズーミングを行わせる
【発明の詳細な説明】
（発明の利用分野）
　本発明は、リモートコントロール信号に応答して作動するカメラに関するものである。
（発明の背景）
　従来のこの種のカメラを第１１図に、その電気ブロック図を第１２図に、その動作を示すフローチャートを第１３図に、それぞれ示す。
　第１１図において、１はカメラ本体、２はカメラ本体１に着脱可能なリモートコントロール（以下発明の背景及び実施例説明においてはリモコンと記す）送信機、３はズームレンズ、４はズーム鏡筒、５はレリーズボタン、６は測距窓、７はファインダ窓、８は測光窓、９はリモコン信号受信窓、１０はリモコン作動表示ＬＥＤ、１１はファインダ、１２はテレズーミングＳＷ（以下ＴＬＳＷ）、１３はワイドズーミングＳＷ（以下ＷＤＳＷ）、１４はリモコンレリーズ信号送信ボタン、１６はリモコン信号送信ＬＥＤ、１７は撮影準備完了表示ＬＥＤである。
　第１２図において、２０はカメラ制御回路、２１は電源電池、２２はレリーズボタン５が半押し、及び深く押し込まれた時にＯＮするスイッチ（以下ＳＷと記す）、２３はレリーズボタン５が深く押し込まれた時のみＯＮするＳＷ、２４はＷＤＳＷ１３を押されるとＯＮするＳＷ、２５はＴＬＳＷ１２を押されるとＯＮするＳＷ、２６はリモコン送信機２をカメラ本体１から取り外すとＯＮ、取り付けるとＯＦＦするＳＷ、２７〜３０はズーム鏡筒４を駆動するズームカムリング（不図示）に取り付けられ、ズーム位置によってＯＮ／ＯＦＦするズームポジションＳＷ、３１は測光回路、３２は測距回路、３３は測距回路３２の情報に基づいて撮影レンズ３を駆動するレンズ駆動回路、３４は測光回路３１の測光情報に基づいてシャッタ（不図示）を駆動するシャッタ駆動回路、３５はフィルム給送回路、３６はズーム鏡筒を駆動するズーミング回路、３７はリモコン作動表示ＬＥＤ（第１１図の１０）、３８は撮影準備完了表示ＬＥＤ（第１１図の１７）、３９はリモコン信号受信回路、４０はリモコン信号受光素子、４１はリモコン信号送信回路、４２は前記リモコン信号送信回路４１の電源電池、４３はリモコン信号を出力するリモコン信号送信ＬＥＤ（第１１図の１６）、４４はリモコンレリーズ信号送信ボタン１４を押すとＯＮするＳＷである。
　以下、第１３図に従ってカメラの動作を説明する。
　カメラが操作されていない状態では＃１０１→＃１０２→＃１０３→＃１０４→＃１０１→…、というループを回る。＃１０１でＷＤＳＷ１３が押されていないかチェックし、押されていなければ＃１０２へ、押されていれば＃１０５のワイドズーミングプログラムへ進む。＃１０２では同様にＴＬＳＷ１２をチェックし、ＯＮしていれば＃１０６のテレズーミングプログラムへ、ＯＦＦなら＃１０３へ進む。＃１０３ではレリーズボタン５の半押しをチェックする。半押しされていればＳＷ２２（制御回路２０への信号はＳＷ１）がＯＮしており＃１０７へ、押されていなければ＃１０４へ進む。＃１０４ではＳＷ２６をチェックする。カメラ操作者がリモコン操作を行う場合はリモコン送信機２をカメラ本体１から取り外すされ、これによってＳＷ２６がＯＮし、カメラ制御回路２０へＲＭＳＷ信号として入力される。ＳＷ２６がＯＮしていればリモコン操作状態としてリモコン信号の受信をチェックする＃１１８へ、ＯＦＦなら＃１０１へ戻る。
　前記＃１０３においてＳＷ２２がＯＮしていると＃１０７へ進み、測光回路３１，測距回路３２を駆動して測距，測光を行う。次の＃１０８ではリモコン信号をラッチしているかチェックする。ＳＷ２２がＯＮの場合はリモコン信号のラッチはないので＃１０９へ進み、撮影準備完了表示ＬＥＤ３８（点灯信号ＬＥＤ１により）を点灯させ、レリーズ可能であることを表示する。
　＃１１０ではＳＷ２２（ＳＷ１）がＯＦＦされていないかチェックし、ＯＦＦであれば＃１１７へ進んで撮影準備完了表示ＬＥＤ３８を消灯し＃１０１へ戻る。ＯＮしていれば＃１１１へ進み信号ＳＷ２、すなわちＳＷ２３がＯＮしていないかチェックする。操作者が撮影しようとしてレリーズボタン５を深く押し込むと該ＳＷ２３がＯＮし、＃１１２へ進む。レリーズボタン５が半押しのままならば＃１１０→＃１１１→＃１１０→…というループを回り、離されれば前述のように＃１１７で撮影準備完了表示ＬＥＤ３８を消灯して＃１０１に戻る。＃１１２では撮影準備完了表示ＬＥＤ３８を消灯し＃１１３へ進むと、レンズ３を撮影位置にセットし＃１１４でレリーズ、＃１１５でレンズ３をもとの位置に戻して＃１１６で１駒巻き上げて＃１０１へ戻る。これで１駒の撮影が完了する。
　リモコン送信機２が取り外されている場合は、＃１０４から＃１１８へ進みリモコン信号を受信したかチェックする。受信していれば＃１２０でその信号をラッチ（記憶）し、＃１２１でリモコン信号を受信したことを表示（例えば１００ｍｓｅｃの間リモコン作動表示ＬＥＤ３７を点灯）して＃１０７へ進む。＃１０７→＃１０８と進んでリモコン信号のラッチをチェックするが、＃１２０でラッチされているのでレリーズボタン５を押したときと違って直ちに＃１１３へ進み、以下前述のレリーズ動作を行って＃１１３→＃１１４→＃１１５→＃１１６→＃１０１と戻る。
　また、＃１１８でリモコン信号を受信していなかった場合は＃１０１へ戻る。
　次にズーミングについて説明する。
　前述のようにレンズ鏡筒４がどのズーム位置にあるか、つまり焦点距離が何ｍｍになっているかは通常ズームカムリングに取り付けられたズームポジションＳＷ（ＳＷ２７〜３０）によって検出される。例えば第１４図のように焦点距離によってＳＷ２７〜３０がＯＮ／ＯＦＦし、その信号としてＺＭ１〜ＺＭ４が変化する。この情報をカメラ制御回路２０は読み込んでその値によって何ｍｍのポジションに現在あるかを判断する。焦点距離の情報は主にＡＦやＡＥの補正値として使用されるので、ＴＥＬＥ端からＷＩＤＥ端までをＡＦやＡＥの制御に支障のない程度に分割すればよい。
　第１４図の例においては、３８〜８５ｍｍを１３分割している。ＺＭ１〜ＺＭ４の状態に対し、「１〜１３」の番号Ｎをつける。Ｎに対するズーム位置の中心値となる焦点距離をｆとする。第１３図の対応は例えばカメラ制御回路２０内のマイクロコンピュータ（以下マイコンと記す）のＲＯＭテーブルに書き込まれ、ＺＭ１〜ＺＭ４を該回路２０が読んでマイコン自身がテーブル参照することにより、Ｎ，ｆが求められる。
　ズーミングのプログラムを第１５図及び第１６図に示す。
　前記第１３図において、＃１０５へ進むと第１５図のワイドズーミングプログラムに入り、＃１３１よりスタートし、まずここでワイド通電を開始する。＃１３２へ進みワイド端でないかチェックする。これはＺＭ１〜ＺＭ４を読み、テーブル参照によりＮを求め、Ｎが「１」になっていないかチェックする。Ｎ＝１ならばワイド端と判断して＃１３４へ進む。一方Ｎ≠１であれば＃１３３へ進んでＷＤＳＷ１３が押されているか、つまりＳＷ２４がＯＮしているかチェックする。ＯＮなら＃１３１へ戻ってワイドズーミングを続ける。ＯＦＦなら＃１３４へ進む。ワイド端（Ｎ＝１）になるか、ＷＤＳＷ１３が離されると＃１３４へ進んで通電をＯＦＦし、＃１３５でＷＤＳＷ１３が離されたのを確認して＃１０５へ戻りさらに＃１０１へ戻る。
　テレ方向へのズーミング（第１３図＃１０６）も同様にして第１６図の＃１３６〜＃１４０で行われる。＃１３７においては＃１３２と同様にＮを求め、Ｎ＝１３でないかチェックする。Ｎ＝１３であればＴＥＬＥ端と判断される。
　従来のリモコンによって操作されるカメラは、第１１〜１３図の説明のようにレリーズ機能のみがリモコンされていた。しかし、さらにリモコンによってズーミングができればリモコンの機能の効果は大きくなる。すなわちリモコン信号にレリーズに加えて、ズーミングの信号を加えるためのＳＷ等のコストアップ分のみでリモコンの機能は倍増する。しかし単純にリモコンでズーミングしようとすると以下の問題が起こる。
　リモコンでズーミングするのに最も単純な手段はリモコンズーミング信号が受信されている間だけズーミングする方法である。つまりズーミングＳＷのＯＮとリモコンズーミング信号の受信とを同じ扱いとして第１５，１６図のズーミングを実行すればよい。ところが、この方法ではリモコンズーミング信号がズーミングをする時間だけ連続的に出力される必要がある。しかし、連続的にリモコン信号光を出力するためにはリモコン送信機に大容量の電池を配置する必要があり、リモコン送信機の小型化には不適当である。
　また、該送信機の大きさを別にして、連続的な信号を出力できたとしてもズーミング信号送信中だけズーミングする方法ではどれだけズーミングしたかの確認がとりにくい。例えば、類似のものとしてテレビのボリュームの調整を例にとると、テレビのボリュームはどの程度変化させたか音で確認でき、さらに画面内にボリューム表示をつけるなどの手段により簡単に確認できる。ところが、カメラのズーミングは離れた位置からどのズームポジションにあるかを確認するにはそのための表示手段をつけなければならない。しかしカメラにズームポジションを細かく明確に表示する手段をつけることは、カメラの大きさの点から非常に難しい。
　以上のようにリモコンズーミング信号の送信中だけズーミングするという方式は、実用的なリモコンズーミングカメラには不適当である。
（発明の目的）
　本発明は、上述したような事情に鑑みて為されたもので、リモートコントロール操作により変倍光学系の状態を変化させる際の使い勝手の良好なカメラを提供しようとするものである。
（発明の特徴）
　上記目的を達成するために、本発明は、
カメラ本体に設けられたズーミングスイッチの操作に応じて
ズームポジション
焦点距離を変化させる
リモコンズーミング信号
リモコンズーミング信号
ズームポジション
て焦点距離を変化させ
ズームポジション
ことによって、前記リモコンズーミング信号の受信ごとにズームポジションの変化複数分だけズーミングを行わせる
（発明の実施例）
　第１図乃至第６図は本発明の第１の実施例を示すものである。
　第１図はカメラ１及びリモコン送信機５１の構成を、第２図はリモコン送信機５１の斜視図を、それぞれ示すものであり、第１１，１２図と同じ部分には同一符号を付してある。
　リモコン送信機５１はレリーズ信号送信ボタン１４に加えてズーミング信号送信ボタン１５が備わっており、該ボタン１５が押されるとＳＷ４５がＯＮとなる。第３図は該リモコン送信機５１側の各ＳＷとそのＯＮによりリモコン信号送信回路４１を介してリモコン信号送信ＬＥＤ４３より送信される各信号のタイミングチャートであり、これら各信号の区別はその信号周期（Ｔ１，Ｔ２）をもって第１図図示リモコン信号受信回路６２により行われる。
　該実施例におけるカメラの動作プログラムは第４図のようになり、これは第１図図示カメラ制御回路６１の不図示のＲＯＭ内に格納されており、従来例の第１２図とはリモコン信号受信後の動作（＃１２２，＃１２３）以外は同じである。
　第４図において、＃１１８でリモコン信号を受信すると＃１２０でリモコン信号をラッチ、＃１２１で受信表示を行い、次に＃１２２でリモコンズーミング信号かどうかをチェックする。つまり、リモコン信号受信回路３９で受信された信号をカメラ制御回路６１に取り込み、信号のコード判定をする。＃１２２でズーミング信号でないと判定されればレリーズ信号であるから＃１０７へ進む。この場合は以後従来例第１２図と同じ動作を行う。
　また、＃１２２でズーミング信号と判定されると＃１２３のリモコンズーミングプログラムを実行する。このリモコンズーミングプログラムの例を第５図に示す。
　＃１においてどのズームポジションまでズーミングするかを決める。目標のズームポジションは第１３図のＮに対応する値で設定する。これをＮｏとする。＃２でズームポジションＳＷのＳＷ２７〜３０のＯＮ／ＯＦＦ状態、すなわち信号ＺＭ１〜ＺＭ４を読み込んでテーブル参照などのプログラムによって現在のズームポジションＮを出す。＃３でＮとＮｏを比較し等しければ＃７へ進んで不図示のズームモータをＯＦＦして第４図＃１２３に戻る。
　前記＃３でＮ≠Ｎｏの場合、＃４へ進んでＮとＮｏの大小を比較する。Ｎ＞Ｎｏなら現在のズームポジションが目標のズームポジションよりＴＥＬＥ側にあることになるので＃６へ進んでＷＩＤＥ側へ通電する。一方、Ｎ＞Ｎｏでなければ逆に＃５へ進んでＴＥＬＥ側へ通電する。＃５，＃６いずれの場合も＃２に戻ってループをつくる。このループではＴＥＬＥ通電あるいはＷＩＤＥ通電をしているからズームポジションは目標のポジションへ向かって変化する。そしてＮ＝Ｎｏとなると＃３→＃７と前記ループから出てズーム通電をＯＦＦし、第４図＃１２３へ戻る。＃１２３より＃１０１へ戻ってリモコン信号あるいはレリーズボタンなどの入力待ちのループに戻る。
　該実施例のポイントとなる第５図＃１のズーム目標設定について第６図を用いて説明する。
　＃１１でまず現在のズームポジションＮを読み込む。＃１２で（Ｎ−３）をＮｏとする。すなわちズームポジションＳＷで３つＷＩＤＥ側を設定する。＃１３へ進みＮｏが「１」より小さくなっていないかチェックし、「１」より小さい場合はそれ以上ＷＩＤＥ側へもっていけないのでＮｏ＝１３と設定し、ＴＥＬＥ端とする。こうしてＮｏを設定して第５図＃２〜＃７のリモコンズーミングのプログラムを実行することにより、リモコンズーミング信号を受信するごとにズームポジションの変化３つ分だけＷＩＤＥ側へのズーミングが行われ、ＷＩＤＥ端に達するとＴＥＬＥ端に戻る。
　このようにリモコンによりズーミングすることにより、ズーミング信号送信ボタン１５を１回押すとＴＥＬＥ／ＷＩＤＥ間の３８〜８５ｍｍの焦点距離の１／４を動くことになる。４回リモコンズーミング信号を送信すればＴＥＬＥ端からＷＩＤＥ端まで移動する。
　第６図の実施例において、１回のリモコンズーミング信号の受信によりズームポジションＮを３つ変化させたのは以下の理由による。カメラ本体１側に配置されたＴＬＳＷ１２，ＷＤＳＷ１３によるズーミングの場合はファインダ１１を覗きながら細かいズーミングをする必要がある。しかしリモコン送信機でズーミングする場合、細かくズーミングしてフレーミングすることが目的ではなく、ある程度の画角変化をつけたリモコン撮影をすることが目的である。従って１回のリモコンズーミング信号で１つのズームポジションを変化させるのでは細かすぎで実用的ではない。またズームポジションを大きく動かすことにより、第５図の実施例においてはズームレンズ３を４焦点レンズのような使い方をすることになり、カメラ本体１から離れた位置からのズームポジションの確認が楽になる。またどのズームポジションにあるかという表示を何らかの形でカメラにつける場合もズームのゾーン表示をすれば十分であるので表示を行う場合も楽になる。
　第７図は第６図＃１のズーム目標設定のプログラムの他の実施例を示すフローチャートであり、他の前記第１〜第５図に示す部分は該実施例においても同一である。
　＃２１において現在のズームポジションＮを読み込む。＃２２へ進んでＮ≧１０かチェックし、Ｎ≧１０なら＃２４へ進み、Ｎｏ＝７とする。Ｎ＜１０なら＃２２から＃２３へと進んでＮ≧５かチェックする。Ｎ≧５なら＃２６へ進んでＮｏ＝１とし、Ｎ＜５なら＃２５へ進んでＮｏ＝１３とする。＃２４，＃２５，＃２６のそれぞれでＮｏを設定すると第５図＃１に戻る。
　以上の第７図のプログラムにより、Ｎに対して以下のようにＮｏが決定される。
　１≦Ｎ≦４　　→Ｎｏ＝１３
　５≦Ｎ≦９　　→Ｎｏ＝１
　１０≦Ｎ≦１３→Ｎｏ＝７
　つまり、Ｎを１〜４，５〜９，１０〜１３の３つの領域に分け、Ｎ＝１０〜１３のＴＥＬＥの領域ならちょうどズームのまん中のＮｏ＝７へ、Ｎ＝５〜９のＭＩＤＤＬＥの領域ならＷＩＤＥ端のＮｏ＝１へ、Ｎ＝１〜４のＷＩＤＥ側の領域ならＴＥＬＥ端のＮｏ＝１３へズーミングされる。リモコンズーミング信号を１回受信する毎に、
　ＴＥＬＥ（Ｎ＝１３）→ＭＩＤＤＬＥ（Ｎ＝７）→ＷＩＤＥ（Ｎ＝１）→ＴＥＬＥ（Ｎ＝１３）→
とズーミングすることになる。
　このようにすると、最初のズームポジションに拘らずリモコンズーミングされるポジションが決まっているので、予めリモコンでズーミングする場合の画角を確認する、あるいは覚えておくということが簡単になる。また、離れた位置からズームポジションを確認する場合もＮ＝１３，７，１の３点の区別さえつけばよい。
　以上の実施例においてはリモコンズーミング信号を１つの信号としていたが、リモコン信号の送信コードを殖やすことができる場合は、例えばリモコンズーミング信号をＴＥＬＥ側とＷＩＤＥ側の２つに設定することが考えられる。これを第８図に示す。同図（ａ）のリモコン信号送信機５２にボタン１９を加え、同図（ｂ）にＳＷ４６を加える。１７をリモコンレリーズボタン（第１図（ａ）ボタン１４に相当する）、１８をリモコンワイドズーミングボタン（第１図（ａ）ボタン１５に相当する）、１９をリモコンテレズーミングボタンとする。この実施例における動作においても、第５図＃１が第９図のようになる以外は前記実施例と同様である。
　第９図の＃３１において現在のズームポジションを読み込み、＃３２でリモコンズーミング信号がＷＩＤＥ信号かどうかチェックする。ＷＩＤＥ信号であれば＃３３へ、ＷＩＤＥ信号でなければＴＥＬＥ信号であり＃３６へ進む。＃３３ではＮｏ＝Ｎ−３とし、次の＃３４でＮｏ＜１となっていないかチェックする。Ｎｏ＜１ならば＃３５へ進んでＮｏ＝１とし、Ｎｏ≧１ならそのまま第３図＃１に戻る。＃３６ではＮｏ＝Ｎ＋３として＃３７でＮｏ＞１３となっていないかチェックし、Ｎｏ＞１３なら＃３８へ進んでＮｏ＝１３として＃１に戻る。
　以上第９図の動作によってＷＩＤＥズーミング信号ならズームポジション３つだけＷＩＤＥ側へ、ＴＥＬＥズーミング信号ならズームポジシン３つだけＴＥＬＥ側へリモコンズーミングする。このようにすればリモコンによって１回のズーミング信号送信で任意の方向へ適当な量だけズーミングできる。
　また第６図，第９図の実施例においては１回にズーミングするズームポジションの量を「３」という一定値にしていたが、この値はカメラの設計に応じて変えることができるし、場合によってはズームポジションで変えることもできる。
　例えば目標のズームポジションの設定プログラムを第１０図のようにする。＃４１で現在のズームポジションＮを読み込み、＃４２，＃４３でＮの値をチェックする。これは第５図＃２２〜＃２３と全く同じである。そしてＮの値に応じて＃４４〜＃４６で以下のようにＮｏを設定する。
　１≦Ｎ≦４　　→Ｎｏ＝Ｎ−１…（＃４６）
　５≦Ｎ≦９　　→Ｎｏ＝Ｎ−２…（＃４５）
　１０≦Ｎ≦１３→Ｎｏ＝Ｎ−３…（＃４４）
　そして＃４７でＮ＜１となっていれば＃４８でＮｏ＝１３とする。
　第１０図の例はどのような場合に必要か説明する。第１４図のズームポジションと焦点距離の関係は画角の変化率がほぼ均一になるようにズームポジションを分けていた。しかし、カメラによっては例えばズームポシジョンをピント補正に使うためにＷＩＤＥ側を粗く、ＴＥＬＥ側を細かく区切る必要がある場合もある。こういう場合はリモコンズーミングで変化させるズームポジションの数を一定にしておくと、１回のリモコンズーミングでＴＥＬＥ側での画角変化が小さく、ＷＩＤＥ側で大きくなってしまう。つまり画角変化に対して均一にズームポジションを区切れないような場合は第８図のようにすることにより、１回のリモコンズームによる画角変化がより均一に近くなる。
　本実施例によれば、１回のリモコンズーミング信号の受信に対して所定量のズーミングをさせるか、所定のズームポジションにズーミングさせる様にしているので、表示手段（ズームポジションを明示する為の）を特別に設ける必要がなく、カメラの大型化を招く事がなく、使い勝手のよいリモコンズーミングカメラが実現できる。
　また、リモコン送信機を構成する場合も、リモコンレリーズ信号の他に最低一つの送信信号を加えるだけでリモコンによるズーミングができるので、該送信機を大型にする必要がない。また送信信号はズーミング時間に相当するような連続信号である必要がなく、送信信号をパルス状のもので済ませることができる。これは送信エネルギを小さくできることになり、該送信機の小型化に有利である。
（発明と実施例の対応）
　本実施例において、ズームレンズ３が本発明の変倍光学系に、カメラ制御回路６１の第４図に示す＃１０１，＃１０５，＃１０２，＃１０６の動作を行う部分が本発明の第１の可変手段に、リモコン信号受信素子４０及びリモコン信号受信回路６２が本発明の受信手段に、カメラ制御回路６１の第５図に示す＃１〜＃６の動作を行う部分が本発明の第２の可変手段に、カメラ制御回路６１の第６図に示す＃１１〜＃１４の動作、第７図に示す＃２１〜＃２６の動作、第９図に示す＃３１〜＃３８の動作、又は第１０図に示す＃４１〜
＃４５，＃４７，＃４８
（発明の効果）
　以上説明したように、本発明によれば、リモートコントロール操作により変倍光学系の状態を変化させる際の使い勝手を良好なものにすることができる。
【図面の簡単な説明】
　第１図は本発明の第１の実施例を示すブロック図、第２図は同じくリモコン送信機の斜視図、第３図はリモコン送信機側のタイミングチャート、第４図はカメラ側での動作を示すフローチャート、第５図は同じくリモコンズーミング時の動作を示すフローチャート第６図は同じくズーム目標設定時の動作を示すフローチャート、第７図は本発明の第２の実施例におけるズーム目標設定時の動作を示すフローチャート、第８図は本発明の第３の実施例のリモコン信号送信機を示す斜視図及びその回路構成図、第９図はそのズーム目標設定時の動作を示すフローチャート、第１０図は本発明の第４の実施例におけるズーム目標設定時の動作を示すフローチャート、第１１図は従来及び本発明の一実施例におけるリモコン操作が可能なカメラ及び従来のリモコン信号送信機の斜視図、第１２図は同じくそれぞれのブロック図、第１３図は従来のリモコン操作可能なカメラの動作を示すフローチャート、第１４図は従来及び本発明の一実施例におけるズーム位置とズームポジションＳＷのＯＮ／ＯＦＦ関係を示す図、第１５図及び第１６図は同じくマニュアルズーミングの動作を示すフローチャートである。
　１４……リモコンレリーズ信号送信ボタン、１５……ズーミング信号送信ボタン、２７〜３０……ズームポジョンスイッチ、３６……ズーミング回路、４５，４６……スイッチ、６１……カメラ制御回路、６２……リモコン信号受信回路。